(57)【特許請求の範囲】
【請求項１】
底壁の側縁からカシメ片を立ち上げてなるインシュレーションバレルが形成されており、電線に外嵌されているゴム栓に対し前記底壁及びカシメ片が巻き付くようにかしめ付けられることで、前記電線及び前記ゴム栓が前記インシュレーションバレルに圧着されるようにした端子金具において、
前記インシュレーションバレルにおける前記ゴム栓と対応する内周が、前記ゴム栓への密着部とこの密着部に対して相対的に凹んだ形態の引っ掛かり部とによって構成されており、前記引っ掛かり部と前記密着部との境界では、その全領域に亘ってその引っ掛かり部と密着部とが段差状に連なった形態とされ、かつ、前記引っ掛かり部は、その肉厚を前記密着部の肉厚よりも薄くした形態とされていることを特徴とする端子金具。
【請求項２】
前記カシメ片が軸線方向にずれて複数片設けられているとともに、その複数のカシメ片に夫々前記引っ掛かり部が形成されていることを特徴とする請求項１記載の端子金具。
【請求項３】
前記引っ掛かり部と前記密着部との境界が、前記インシュレーションバレルの周方向に沿っていることを特徴とする請求項１又は請求項２記載の端子金具。
【請求項４】
前記インシュレーションバレルの内面の外縁が、面取りされていることを特徴とする請求項１乃至請求項３のいずれかに記載の端子金具。
【発明の詳細な説明】
【０００１】
【発明の属する技術分野】
本発明は、ゴム栓が外嵌されている電線をそのゴム栓とともに圧着することによって接続させる端子金具に関するものである。
【０００２】
【従来の技術】
従来、ゴム栓が外嵌されている電線をそのゴム栓とともに圧着することによって接続させる端子金具としては、実開昭６０−７１０８２号公報に開示されているものがある。この端子金具の後端部には、底壁から一対のカシメ片を立ち上げた形態の圧着部が形成されており、電線に外嵌されたゴム栓を底壁に載せ、そのゴム栓に対してカシメ片を巻き付けるようにかしめることで、電線がゴム栓とともに圧着部に圧着される。
【０００３】
この種の端子金具では、電線を引っ張ったときに、ゴム栓が弾性変形することによってカシメ片から外れることが懸念されるため、その対策として、圧着部にゴム栓への引っ掛かり手段を形成することが行われている。その手段として、上記従来の端子金具では、圧着部を部分的に内側（ゴム栓側）へ切り起こし、その切起部分にゴム栓の外周を引っ掛けるようになっていた。
【０００４】
【発明が解決しようとする課題】
ところが、切り起こしによって形成した引掛け部は、その縁部が鋭利なエッジ状になっているため、そのエッジ部がゴム栓を傷つける虞がある。特に、小型化された端子金具の場合には、小型化に伴ってゴム栓の肉厚も薄くなるため、エッジ部が、単にゴム栓の外周に傷を付けるに留まらず、ゴム栓を破ってしまう虞がある。
【０００５】
本願発明は上記事情に鑑みて創案され、ゴム栓の傷付きを防止することを目的としている。
【０００６】
【課題を解決するための手段】
請求項１の発明は、底壁の側縁からカシメ片を立ち上げてなるインシュレーションバレルが形成されており、電線に外嵌されているゴム栓に対し前記底壁及びカシメ片が巻き付くようにかしめ付けられることで、前記電線及び前記ゴム栓が前記インシュレーションバレルに圧着されるようにした端子金具において、
前記インシュレーションバレルにおける前記ゴム栓と対応する内周が、前記ゴム栓への密着部とこの密着部に対して相対的に凹んだ形態の引っ掛かり部とによって構成されており、前記引っ掛かり部と前記密着部との境界では、その全領域に亘ってその引っ掛かり部と密着部とが段差状に連なった形態とされ、かつ、前記引っ掛かり部は、その肉厚を前記密着部の肉厚よりも薄くした形態とされている構成とした。
【０００７】
請求項２の発明は、請求項１の発明において、前記カシメ片が軸線方向にずれて複数片設けられているとともに、その複数のカシメ片に夫々前記引っ掛かり部が形成されている構成とした。
更に、具体的には、前記複数片のカシメ片のうち、少なくとも１片は前記底壁の左側縁から立ち上げられているとともに少なくとも別の１片は右側の側縁から立ち上げられている構成としてもよい。
【０００８】
請求項３の発明は、請求項１又は請求項２の発明において、前記引っ掛かり部と前記密着部との境界が、前記インシュレーションバレルの周方向に沿っている構成とした。
請求項４の発明は、請求項１乃至請求項３のいずれかの発明において、前記インシュレーションバレルの内面の外縁が、面取りされている構成とした。
【０００９】
【発明の作用及び効果】
［請求項１の発明］
インシュレーションバレルとゴム栓とは、引っ掛かり部と密着部の段差状の境界において引っ掛かる。引っ掛かり部と密着部との境界ではその全領域に亘って段差状に連なった形態となっているので、切り起こしのようなエッジ部が存在せず、したがって、引っ掛かり部がゴム栓を傷付ける虞がない。また、ゴム栓が薄肉の場合において引っ掛かり部を密着部から突出した形態にすると、その突出部分によるゴム栓の潰れ量が大きくなり過ぎてゴム栓が破れる等の不具合が懸念される。しかし本発明では、引っ掛かり部を凹んだ形態にしているので、引っ掛かり部によるゴム栓の潰れ量が小さくなり、ゴム栓が薄肉であってもゴム栓が破れる虞がない。さらに、インシュレーションバレルの外面は部分的に突出せずに済むので、引っ掛かり部の形成されている部分が外周側へ突出するものに比べるとインシュレーションバレル全体としての径寸法が小さくなっている。
［請求項２の発明］
カシメ片を複数設けるとともに各カシメ片に引っ掛かり部を形成したので、ゴム栓に対する引っ掛かり領域が広く確保される。
【００１０】
［請求項３の発明］
引っ掛かり部と密着部との境界が周方向に沿っているので、ゴム栓に対して引っ掛かり部が軸線方向に対して直角に引っ掛かることになる。よって、軸線方向へのずれ防止効果が高い。
【００１１】
［請求項４の発明］
インシュレーションバレルの内面の外縁が面取りされており、鋭利なエッジ状になっていないことから、ゴム栓が破れる虞がない。
【００１２】
【発明の実施の形態】
［実施形態１］
以下、本発明を具体化した実施形態１を図１乃至図６を参照して説明する。
本実施形態の端子金具１０は、所定の形状（図３を参照）に打ち抜いた板厚一定の金属板材１１に対し曲げ加工及びプレス加工を施すことによって形成したものであり、その略前半部分は雄端子金具（図示せず）との接続を行うための角筒状の嵌合部１２とされ、略後半部分は電線２０の端末部分をゴム栓２５と一緒に圧着により接続するための圧着部１３とされている。
【００１３】
尚、以下の説明において、前後方向については図３及び図４における左側を前側ということにする。また、上下方向については、図４〜図６を基準とする。さらに、左右方向については、図３における上側を左側ということにする。
圧着部１３は、前側に位置されたワイヤバレル１４と後側に位置されたインシュレーションバレル１６とからなる。ワイヤバレル１４は、底壁１４Ａの左右両側縁から一対のカシメ壁１４Ｂを立ち上げた形態とされ、このワイヤバレル１４には、電線２０の端末部においてその絶縁被覆２１を剥いて露出させた芯線２２が圧着により接続される。圧着に際しては、底壁１４Ａに載せた芯線２２及びその芯線２２に外嵌されているゴム栓２５に対し、その底壁１４Ａとカシメ壁１４Ｂが巻き付けられるようにしてかしめ付けられる。尚、ワイヤバレル１４の底壁１４Ａの内面には、周方向（端子金具１０の長さ方向に対して直交する方向）に細長く延びる複数条の溝１５が軸線方向に並列して形成されており、これらの溝１５がゴム栓２５の外周に引っ掛かることにより、ゴム栓２５の軸線方向への誘導が規制される。
【００１４】
インシュレーションバレル１６は、ワイヤバレル１４の底壁１４Ａと連続する底壁１６Ａの左右両側縁から２片のカシメ片１６Ｆ，１６Ｒを立ち上げた形態である。２片のカシメ片１６Ｆ，１６Ｒのうち左側（図３における下側）のカシメ片１６Ｆは、底壁１６Ａにおける比較的前側の領域から立ち上がり、右側のカシメ片１６Ｒは底壁１６Ａにおける比較的後側（左側のカシメ片１６Ｆよりも後方）の領域から立ち上がっている。つまり、左右２片のカシメ片１６Ｆ，１６Ｒは前後にずれた位置に配置されている。また、前側（左側）のカシメ片１６Ｆは、その前縁１６Ｆｆが軸線方向に対して直交する方向とされているとともに、後縁１６Ｆｒが軸線方向に対して斜め方向（圧着状態では螺旋方向）に延びている。一方、後側（右側）のカシメ片１６Ｒは、その前縁１６Ｒｆが軸線方向に対して斜め方向（圧着状態では螺旋方向）に延びているとともに、後縁１６Ｒｒが軸線方向に対して直交する方向とされている。尚、前側のカシメ片１６Ｆの後縁１６Ｆｒと後側のカシメ片１６Ｒの前縁１６Ｒｆとはその螺旋の向きと角度が互いに同じとなっている。
【００１５】
かかるインシュレーションバレル１６におけるゴム栓２５と対応する内周は、その全領域に亘ってゴム栓２５の外周に密着するようになっている。このインシュレーションバレル１６の内周は、ゴム栓２５の外周に対して所定の圧力で密着される密着部１７と、ゴム栓２５の外周に対して軸線方向への引っ掛かりを生じさせるために密着部１７に対して相対的に凹んだ形態とされた２つの引っ掛かり部１８Ｆ，１８Ｒとによって構成されている。
【００１６】
２つの引っ掛かり部１８Ｆ，１８Ｒは前後２片のカシメ片１６Ｆ，１６Ｒの形状に合わせて形成されている。前側のカシメ片１６Ｆと対応する引っ掛かり部１８Ｆは、概ね直角三角形状をなし、その互いに直角をなす２辺のうち、軸線方向と平行な短辺１８Ｆｂ（本発明の構成要件である境界）が底壁１６Ａにおける幅方向中央に位置しているとともに、長辺１８Ｆａ（本発明の構成要件である境界）がカシメ片１６Ｆの前縁１６Ｆｆに沿うように周方向に延びており、また、斜辺１８Ｆｃ（本発明の構成要件である境界）は、カシメ片１６Ｆの後縁１６Ｆｒに沿うように螺旋方向に延びている。一方、後側のカシメ片１６Ｒと対応する引っ掛かり部１８Ｒも、前側の引っ掛かり部１８Ｆと同様に概ね直角三角形状をなし、その互いに直角をなす２辺のうち、軸線方向と平行な短辺１８Ｒｂ（本発明の構成要件である境界）が底壁１６Ａにおける幅方向中央に位置しているとともに、長辺１８Ｒａ（本発明の構成要件である境界）がカシメ片１６Ｒの後縁１６Ｒｒに沿うように周方向に延びており、また、斜辺１８Ｒｃ（本発明の構成要件である境界）はカシメ片１６Ｒの前縁１６Ｒｆに沿うように螺旋方向に延びている。
【００１７】
かかる引っ掛かり部１８Ｆ，１８Ｒは、インシュレーションバレル１６の外周を平坦面状に保ったままで内周をプレス型（図示せず）で潰すように叩くことにより形成されている。つまり、図５に示すように、引っ掛かり部１８Ｆ，１８Ｒの肉厚寸法は、密着部１７（インシュレーションバレル１６の内周における引っ掛かり部１８Ｆ，１８Ｒ以外の領域）の肉厚よりも薄くなっている。また、引っ掛かり部１８Ｆ，１８Ｒと密着部１７との境界１８Ｆａ，１８Ｆｂ，１８Ｆｃ，１８Ｒａ，１８Ｒｂ，１８Ｒｃでは、その全領域に亘って互いに段差状に連続している。つまり、引っ掛かり部１８Ｆ，１８Ｒと密着部１７との間には、切り起こしによって生じるような開口部やその開口縁におけるエッジ部等は存在しない。
【００１８】
かかるインシュレーションバレル１６には、電線２０の端末の絶縁被覆２１に外嵌されているゴム栓２５に対し底壁１６Ａ及び前後両カシメ片１６Ｆ，１６Ｒが巻き付くようにかしめ付けられることで、その電線２０とゴム栓２５とが圧着接続される。
圧着した状態では、図６に示すように、インシュレーションバレル１６とゴム栓２５とが、引っ掛かり部１８Ｆ，１８Ｒと密着部１７との間の段差状の境界１８Ｆａ，１８Ｆｂ，１８Ｆｃ，１８Ｒａ，１８Ｒｂ，１８Ｒｃのうち、前側の引っ掛かり部１８Ｆの長辺１８Ｆａと斜辺１８Ｆｃ、及び後側の引っ掛かり部１８Ｒの斜辺１８Ｒｃと長辺１８Ｒａに沿った境界において軸線方向に引っ掛かり、この引っ掛かりの作用によってゴム栓２５がインシュレーションバレル１６に対して軸線方向にずれることが防止される。
【００１９】
本実施形態では、このインシュレーションバレル１６とゴム栓２５との引っ掛かり手段である引っ掛かり部１８Ｆ，１８Ｒと密着部１７との境界１８Ｆａ，１８Ｆｂ，１８Ｆｃ，１８Ｒａ，１８Ｒｂ，１８Ｒｃが、その全領域に亘って、その引っ掛かり部１８Ｆ，１８Ｒと密着部１７とを段差状に連続させる形態とされているので、切り起こし加工に起因するようなエッジ部が存在せず、したがって、引っ掛かり部１８Ｆ，１８Ｒがゴム栓２５を傷付ける虞がない。
【００２０】
また、カシメ片１６Ｆ，１６Ｒを２片設けるとともに、その各カシメ片１６Ｆ，１６Ｒに、夫々、引っ掛かり部１８Ｆ，１８Ｒを形成したので、ゴム栓２５に対する引っ掛かり領域が広く確保されている。
また、軸線方向にずれて配した前後２片のカシメ片１６Ｆ，１６Ｒが、底壁の左右いずれか一方の側縁のみから立ち上がるのではなく、左右両側縁の双方から立ち上がっているので、インシュレーションバレル１６によるゴム栓２５への保持力が左右いずれかに片寄ることがなく、保持機能の信頼性が高い。
【００２１】
また、引っ掛かり部１８Ｆ，１８Ｒと密着部１７との境界１８Ｆａ，１８Ｆｂ，１８Ｆｃ，１８Ｒａ，１８Ｒｂ，１８Ｒｃのうち、引っ掛かり部１８Ｆ，１８Ｒの長辺１８Ｆａ，１８Ｒａに沿った領域は周方向（軸線方向に対して直角な方向）に沿っているので、ゴム栓２５に対して引っ掛かり部１８Ｆ，１８Ｒが軸線方向に対して直角に引っ掛かることになる。よって、軸線方向へのずれ防止効果が高い。
【００２２】
また、ゴム栓２５が薄肉の場合において引っ掛かり部を密着部から突出した形態にすると、その突出部分によるゴム栓２５の潰れ量が大きくなり過ぎてゴム栓２５が破れる等の不具合が懸念される。しかし本実施形態では、引っ掛かり部１８Ｆ，１８Ｒを凹んだ形態にしているので、引っ掛かり部１８Ｆ，１８Ｒによるゴム栓２５の潰れ量が小さくなり、ゴム栓２５が薄肉であっても破れる虞がない。
【００２３】
また、引っ掛かり部１８Ｆ，１８Ｒは、その肉厚を密着部１７の肉厚よりも薄くした形態とされているので、インシュレーションバレル１６の外面は部分的に突出せずに済んでする。したがって、引っ掛かり部の形成されている部分が外周側へ突出するものに比べるとインシュレーションバレル１６全体としての径寸法が小さくなっている。
［実施形態２］
次に、本発明を具体化した実施形態２を図７を参照して説明する。
【００２４】
本実施形態は、引っ掛かり部を上記実施形態１とは異なる構成としたものである。その他の構成については上記実施形態１と同じであるため、同じ構成については、同一符号を付し、構造、作用及び効果の説明は省略する。
実施形態１では２片のカシメ片１６Ｆ，１６Ｒと対応するように２つの引っ掛かり部１８Ｆ，１８Ｒを形成したが、本実施形態２の端子金具３０では１つの引っ掛かり部３１が底壁１６Ａから両カシメ片１６Ｆ，１６Ｒに渡って形成されている。この引っ掛かり部３１は、底壁１６Ａのほぼ全体に亘る方形部３１Ｓと、この方形部３１Ｓの前左角部から前側のカシメ片１６Ｆへ向かって左方へ延出する前延出部３１Ｆと、方形部３１Ｓの後右角部から後側のカシメ片１６Ｒへ向かって右方へ延出する後延出部３１Ｒとからなる。かかる引っ掛かり部３１と密着部１７との境界においても、その全領域にわたって、引っ掛かり３１と密着部１７とが段差状に連続した形態となっている。
【００２５】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではカシメ片を２片としたが、本発明によれば、カシメ片は１片だけとしてもよく、３片以上のカシメ片を軸線方向にずらして設けてもよい。
【００２６】
（２）上記実施形態では雌端子金具に適用した例を説明したが、本発明は、雄端子金具にも適用することができる。
（３）上記実施形態１では１つのカシメ片に１つの凹部を設けたが、本発明によれば、１つのカシメ片に複数の凹部を設けてもよい。
【図面の簡単な説明】
【図１】実施形態１の斜視図
【図２】電線とゴム栓を圧着する前の状態の斜視図
【図３】展開状態を示す平面図
【図４】電線とゴム栓を圧着する前の状態の側面図
【図５】Ｘ−Ｘ線断面図
【図６】インシュレーションバレルに出とゴム栓を圧着した状態を示す一部切欠部分拡大側面図
【図７】実施形態２の展開状態を示す平面図
【符号の説明】
１０…端子金具
１６…インシュレーションバレル
１６Ａ…底壁
１６Ｆ…カシメ片
１６Ｒ…カシメ片
１７…密着部
１８Ｆ…引っ掛かり部
１８Ｆａ…引っ掛かり部１８Ｆの長辺（境界）
１８Ｆｂ…引っ掛かり部１８Ｆの短辺（境界）
１８Ｆｃ…引っ掛かり部１８Ｆの斜辺（境界）
１８Ｒ…引っ掛かり部
１８Ｒａ…引っ掛かり部１８Ｒの長辺（境界）
１８Ｒｂ…引っ掛かり部１８Ｒの短辺（境界）
１８Ｒｃ…引っ掛かり部１８Ｒの斜辺（境界）
３０…端子金具
３１…引っ掛かり部
【図１】
0003651392.tif 000002
【図２】
0003651392.tif 000003
【図３】
0003651392.tif 000004
【図４】
0003651392.tif 000005
【図５】
0003651392.tif 000006
【図６】
0003651392.tif 000007
【図７】
0003651392.tif 000008